(57)【要約】【課題】生体表面に針を刺したり、レーザ光を照射するなどして微小開口を形成し、体液を採取するようにした体液採取装置において、体液の採取を、気密、かつ低侵襲に行う。【解決手段】生体表面に移動部材５０を内蔵した帽状の支持部材２０を貼付け、その上にレーザ照射装置３０を搭載して、移動手段６０によって移動部材５０の貫通孔５３がレーザ光源３１に臨んだ状態で微小開口を形成し、その後支持部材２０はそのままで、移動手段６０を操作して、移動部材５０の吸引室５４が前記微小開口に臨んだ状態でポンプによって滲出した体液を測定装置へ吸出す。したがって、微小開口の形成から体液の採取までを、装置を取外すことなく一連の操作で行うことができ、微小開口に吸引室５４をずれなく設置することができるとともに、気密に作業中を行える。また、吸引室５４と貫通孔５３とが別であるので、吸引室５４を極小容積にして、低侵襲で採取を行うことができる。【選択図】図１
2009226042.tif 000002
【特許請求の範囲】
【請求項１】
生体表面に微小開口を形成し、体液を採取する体液採取装置において、
前記微小開口を形成するための器具またはエネルギ源と、
底面が開放して前記生体表面に密着設置され、天面に前記器具またはエネルギ源が搭載される支持部材と、
前記支持部材内に収納され、前記微小開口を形成するための器具またはエネルギが通過することができる経路と、前記微小開口を覆う吸引室とが前記生体表面と略平行に並んで設置される移動部材と、
前記吸引室に接続され、体液を吸引する吸引手段と、
前記移動部材を前記支持部材内で、生体表面に対して近接および離反変位ならびに生体表面と略平行に変位させる移動手段とを備えて構成されることを特徴とする体液採取装置。
【請求項２】
前記微小開口を形成するエネルギ源としてレーザ光源が用いられることを特徴とする請求項１記載の体液採取装置。
【請求項３】
前記移動部材における前記経路の終端には、前記レーザ光を吸収することで発熱する吸収体が設けられていることを特徴とする請求項２記載の体液採取装置。
【請求項４】
前記レーザ光源と前記移動部材の前記経路との間には、光路を前記経路の中心からシフトさせる光学部材が設けられるとともに、その光学部材を入射光軸を略回転中心として回転させる回転手段をさらに備えることを特徴とする請求項２または３記載の体液採取装置。
【請求項５】
前記レーザ光源は前記支持部材から取外し可能であり、前記レーザ光源と支持部材との間には、相互の位置決めを行う位置決め手段が設けられ、前記レーザ光源側では、位置決めが行われていないと前記レーザ光の放射を禁止するロック機構が設けられていることを特徴とする請求項２〜４のいずれか１項に記載の体液採取装置。
【請求項６】
前記吸引室はドーム状に形成され、その頂部に前記吸引手段への吸引口が設けられることを特徴とする請求項１〜５のいずれか１項に記載の体液採取装置。
【請求項７】
前記吸引室から吸引手段までの管路の一部に、穿孔可能な樹脂製の栓を設置することを特徴とする請求項１〜６のいずれか１項に記載の体液採取装置。
【発明の詳細な説明】
【技術分野】
【０００１】
本発明は、生体表面にレーザ光などで微小開口を穿孔して、細胞間質液や血液などの体液を採取するようにした体液採取装置に関する。
【背景技術】
【０００２】
生体からの体液採取には、最も一般的なものとして注射針による血液採取があるが、患者の不安や苦痛、さらに注射針に付着した細菌等による感染という問題があった。また、たとえば術後の経過を見るために、グルコース濃度（血糖値）を３０分や１時間毎にモニタリングする場合のように、連続採取となると、そのたび毎に体に注射針を刺す必要があり、皮膚が硬くなったりして、患者への負担は過大であった。
【０００３】
そこで、そのような負担を軽減するために、血液ではなく、細胞間質液を採取するという方法が近年注目を集めている。これは、血管が通っている真皮層に届かない深さの微小開口であっても、そこから滲み出してくる細胞間質液は、血球等がないことを除けば、血液とほぼ同じ成分を有するので、血液検査の代替になり、しかも穿孔時の痛みがない（少ない）ためである。
【０００４】
特許文献１では、別途の装置で生体表面に穿設された微小開口上に被せ、底面の開口部分から体液を吸い出して、オリフィス部分に設けられたセンサによって種々の測定を行う組織インターフェース装置が提案されている。しかしながら、この従来技術では、前記微小開口を穿孔する装置と体液を吸引する装置とが別体であるので、作成した微小開口に対して、装置を正確に位置決めしないと、測定ができないという問題がある。また、作業が煩雑である。
【０００５】
そこで、このような問題を解決するために、特許文献２には、ベース部材となる整合装置を生体表面上の所望位置に位置決めし、その整合装置に穿孔装置とセンサ装置とを交換して取付けることで、連続モニタリングにあたっての信頼性の向上が図られている。
【０００６】
一方、特許文献３には、開口部の回りに一対の酵素電極を備えた交換チップを底部に配置し、上部に設けたレーザ源からのレーザ光を前記開口部を通して生体表面に照射し、形成された微小開口から滲出した体液のグルコース濃度を前記酵素電極で検出する生体計測装置が提案されている。
【特許文献１】特表２００３−５１４２４４号公報
【特許文献２】特表２００３−５０１２２２号公報
【特許文献３】特開２００３−２６５４４４号公報
【発明の開示】
【発明が解決しようとする課題】
【０００７】
特許文献２の従来技術では、特許文献１の従来技術と同様に、穿孔装置を取外し、センサ装置を取付けて採取を行うので、作業中に外部から侵入してくる細菌等による感染や体液の品質が劣化するという問題がある。
【０００８】
特許文献３の従来技術では、吸引室の容積が大きく、体液を吸引する際に大きな力が必要となり、低侵襲での作業が行えないという問題がある。
【０００９】
本発明の目的は、微小開口の穿孔から体液の採取を、気密、かつ低侵襲に行うことができる体液採取装置を提供することである。
【課題を解決するための手段】
【００１０】
本発明の体液採取装置は、生体表面にレーザ光を照射するなどして穿孔して微小開口を形成し、体液を採取する体液採取装置において、前記微小開口を形成するための器具またはエネルギ源と、底面が開放して前記生体表面に密着設置され、天面に前記器具またはエネルギ源が搭載される支持部材と、前記支持部材内に収納され、前記微小開口を形成するための器具またはエネルギが通過することができる経路と、前記微小開口を覆う吸引室とが前記生体表面と略平行に並んで設置される移動部材と、前記吸引室に接続され、体液を吸引する吸引手段と、前記移動部材を前記支持部材内で、生体表面に対して近接および離反変位ならびに生体表面と略平行に変位させる移動手段とを備えて構成されることを特徴とする。
【００１１】
上記の構成によれば、生体表面に針を刺したり、レーザ光を照射するなどして微小開口を形成し、体液を採取するにあたって、帽状のように底面が開放し、しかもフランジを有するなどして前記生体表面に密着設置可能で、ベース部材となる支持部材を前記生体表面に密着設置し、その天面に前記微小開口を形成するための器具またはレーザ源などのエネルギ源を搭載するとともに、前記支持部材内には移動部材を設け、その移動部材を移動手段によって、前記支持部材内で、生体表面に対して近接および離反変位ならびに生体表面と略平行に変位可能とする。そして、前記移動部材には、前記微小開口を形成するための器具（前記針など）またはエネルギ（前記レーザ光など）が通過することができる経路と、前記微小開口を覆う吸引室とを前記生体表面と略平行に並んで配置しておくとともに、前記吸引室には滲出した体液を吸引する吸引手段を接続しておく。
【００１２】
したがって、使用者は、先ず移動部材の経路が前記器具またはエネルギ源に臨んだ状態で前記微小開口を形成させ、支持部材はそのままで、移動部材を一旦生体表面から上昇（離反）させて前記生体表面と略平行に移動させ、形成された微小開口に吸引室が臨んだ状態で下降（近接）させて該移動部材を生体表面に密着させ、前記吸引手段によって前記吸引室内を負圧にして、滲出した体液を測定装置へ供給し、或いは試験紙に染み込ませて別途設置された測定装置での測定を可能にする。
【００１３】
これによって、微小開口の形成から体液の採取までを、装置を取外すことなく、一連の操作で行うことができ、穿孔された微小開口に対して、精密な位置決めが要求される吸引室をずれなく設置することができるとともに、気密に作業を行えるので、作業中に外部から侵入してくる細菌等による感染や体液の品質劣化を防ぐことができる。また、吸引室と前記経路とを別に形成しているので、吸引室を極小容積にして、必要な量の体液の採取を微弱な吸引力で短時間に行うことができ、患者に苦痛や負担をかけずに低侵襲で体液採取を行うことができるとともに、前記微小開口を形成するための器具またはエネルギ源を取外し自在とすることと合わせて、該体液採取装置の小型化を図ることができる。
【００１４】
また、本発明の体液採取装置では、前記微小開口を形成するエネルギ源としてレーザ光源が用いられることを特徴とする。
【００１５】
上記の構成によれば、針に比べてより痛みが少なく、衛生的である。
【００１６】
さらにまた、本発明の体液採取装置では、前記移動部材における前記経路の終端には、前記レーザ光を吸収することで発熱する吸収体が設けられることを特徴とする。
【００１７】
上記の構成によれば、生体表面に前記微小開口を形成するにあたって、前記レーザ光が生体表面に直接吸収されなくても、吸収体で吸収されることで、それによって発生した熱で微小開口を形成することができる。
【００１８】
したがって、レーザ光源を任意に選択することができるとともに、最小限のパワーで必要な大きさおよび深さの微小開口を作成することができ、レーザ光源を小型化することもできる。
【００１９】
また、本発明の体液採取装置では、前記レーザ光源と前記移動部材の前記経路との間には、光路を前記経路の中心からシフトさせる光学部材が設けられるとともに、その光学部材を入射光軸を略回転中心として回転させる回転手段をさらに備えることを特徴とする。
【００２０】
上記の構成によれば、前記微小開口を形成するエネルギ源としてレーザ光源を用いる場合、該レーザ光源と前記移動部材の前記経路との間にプリズムなどの光学部材を介在することで、光路を前記経路の中心からシフトさせることができ、その光学部材を回転手段で入射光軸を略回転中心として回転させることで、前記微小開口を複数形成することができる。
【００２１】
したがって、同じ時間でより多くの体液を採取、或いは同じ量の体液をより短時間で採取することができるようになる。
【００２２】
さらにまた、本発明の体液採取装置では、前記レーザ光源は前記支持部材から取外し可能であり、前記レーザ光源と支持部材との間には、相互の位置決めを行う位置決め手段が設けられ、前記レーザ光源側では、位置決めが行われていないと前記レーザ光の放射を禁止するロック機構が設けられていることを特徴とする。
【００２３】
上記の構成によれば、前記レーザ光源を前記支持部材から取外し可能とすることで、長時間に亘って採取する場合に、煩雑さを解消することができるとともに、複数の患者でレーザ光源を共用可能にすることができる。そして、そのように取外し可能としても、相互の位置決めを行う位置決め手段を設けることで、定められた位置に正確に微小開口を形成することができる。さらに、前記レーザ光源側にはロック機構が設けられており、そのロック機構が前記位置決め手段で位置決めが行われていないと前記レーザ光の放射を禁止するので、レーザ光の漏光を防止し、安全性を向上することができる。
【００２４】
また、本発明の体液採取装置では、前記吸引室はドーム状に形成され、その頂部に前記吸引手段への吸引口が設けられることを特徴とする。
【００２５】
上記の構成によれば、吸引室がドーム状に形成されることで、吸引手段の吸引作用によって生体表面がその内面に沿って若干盛り上がり、その頂部に設けられている吸引口と微小開口との距離が近くなる。
【００２６】
したがって、体液を効率良く吸い上げることができる。
【００２７】
さらにまた、本発明の体液採取装置は、前記吸引室から吸引手段までの管路の一部に、穿孔可能な樹脂製の栓を設置することを特徴とする。
【００２８】
上記の構成によれば、吸引室から吸引手段までの間の管路に、穿孔可能な樹脂製の栓を設け、それを注射針で穿孔することで、別の管路へ体液を吸い上げることができる。
【００２９】
したがって、採取した体液を患者の近くに置けない検出装置や、該体液採取装置に組み込むことができない検出装置にも利用することができる。
【発明の効果】
【００３０】
本発明の体液採取装置は、以上のように、生体表面に針を刺したり、レーザ光を照射するなどして微小開口を形成し、体液を採取するにあたって、帽状のように底面が開放し、しかもフランジを有するなどして前記生体表面に密着設置可能で、ベース部材となる支持部材を前記生体表面に密着設置し、その天面に前記微小開口を形成するための器具またはレーザ源などのエネルギ源を搭載するとともに、前記支持部材内には移動部材を設け、その移動部材を移動手段によって、前記支持部材内で、生体表面に対して近接および離反変位ならびに生体表面と略平行に変位可能にするとともに、前記移動部材には、前記微小開口を形成するための器具（前記針など）またはエネルギ（前記レーザ光など）が通過することができる経路と、前記微小開口を覆う吸引室とを前記生体表面と略平行に並んで配置しておくとともに、前記吸引室には滲出した体液を吸引する吸引手段を接続しておく。
【００３１】
それゆえ、使用者は、先ず移動部材の経路が前記器具またはエネルギ源に臨んだ状態で前記微小開口を形成させ、支持部材はそのままで、移動部材を一旦生体表面から上昇（離反）させて前記生体表面と略平行に移動させ、形成された微小開口に吸引室が臨んだ状態で下降（近接）させて該移動部材を生体表面に密着させ、前記吸引手段によって前記吸引室内を負圧にして、滲出した体液を測定装置へ供給し、或いは試験紙に染み込ませて別途設置された測定装置での測定を可能にする。これによって、微小開口の形成から体液の採取までを、装置を取外すことなく、一連の操作で行うことができ、穿孔された微小開口に対して、精密な位置決めが要求される吸引室をずれなく設置することができるとともに、気密に作業中を行えるので、作業中に外部から侵入してくる細菌等による感染や体液の品質劣化を防ぐことができる。また、吸引室と前記経路とを別に形成しているので、吸引室を極小容積にして、必要な量の体液の採取を微弱な吸引力で短時間に行うことができ、患者に苦痛や負担をかけずに低侵襲で体液採取を行うことができるとともに、前記微小開口を形成するための器具またはエネルギ源を取外し自在とすることと合わせて、該体液採取装置の小型化を図ることができる。
【発明を実施するための最良の形態】
【００３２】
［実施の形態１］
図１および図２は、本発明の実施の一形態に係る体液採取装置１，１１の構造を示す斜視図である。図１の体液採取装置１は、大略的に、帽状に形成されてフランジ２１を有し、底面が開放して生体表面に密着設置されるベース部材である支持部材２０と、微小開口を形成するためのエネルギ源であり、前記支持部材２０における帽状の天面２２に搭載されるレーザ照射装置３０と、前記支持部材２０内に収納される移動部材５０と、前記移動部材５０を前記支持部材２０内で、生体表面に対して近接および離反変位ならびに生体表面と略平行に変位させる移動手段６０と、滲出した体液を吸引する吸引手段である図示しないポンプとを備えて構成される。図２で示すもう１つの体液採取装置１１は、前記レーザ照射装置３０に代えて、微小開口を形成するための器具である穿孔装置４０が用いられるだけで、残余の構成は体液採取装置１と同様である。
【００３３】
図３は前記支持部材２０の斜視図であり、図４は前記移動部材５０の斜視図であり、図５はそれらを組付けた状態を示す斜視図であり、図６および図７は前記組付けた状態での動作を説明するための断面図である。前記支持部材２０は、大略的に前記帽状に形成され、前記フランジ２１と、側壁２３と、天板２４とを有する本体２５と、前記天面２２に立設される複数の位置決めピン２６と、前記天板２４の裏面に取付けられるマグネット２７とを備えて構成される。前記本体２５は、樹脂製で、前記側壁２３の外径は３．５ｃｍ程度に形成され、前記天板２４には、その円形の中心からシフトして、直径５ｍｍ程度の開口２８が形成されている。なお、この開口２８は、前記レーザ照射装置３０が使用される場合には、レーザ光に対して透明な板で閉塞されていてもよい。前記位置決めピン２６は、前記天面２２から１ｍｍ程度突出して形成されている。前記フランジ２１の裏面には、生体表面に該支持部材２０を固定するための粘着テープが備え付けられている。さらにまた、前記側壁２３には、後述するような形状の操作孔２９が形成されている。
【００３４】
一方、前記移動部材５０は、樹脂製で円盤形状の本体５１に、その一側面から半径方向外方に突出した前記移動手段６０を備えて構成される。前記本体５１は、前記支持部材２０内に収納されるので、厚さ１ｃｍ、直径３ｃｍ程度の大きさに形成され、前記開口２８に対応して、その中心からシフトして、直径５ｍｍ程度の円形で、前記微小開口を形成するための器具またはエネルギが通過することができる経路となる貫通孔５３が形成されるとともに、前記貫通孔５３とは周方向にずれた位置に、前記微小開口を覆う吸引室５４が形成されている。前記貫通孔５３も、前記レーザ照射装置３０が使用される場合には、レーザ光に対して透明な板で閉塞されていてもよい。
【００３５】
また、前記移動部材５０において、前記レーザ照射装置３０が使用される場合には、生体表面に密着することができる前記貫通孔５３の出口には、カーボンブラック等のレーザ光の吸収特性が高く、吸収して発熱することで生体表面（角質層）２に前記微小開口を穿孔することができる材料から成る吸収体５５が貼付けられている。ここで、レーザ光を用いて生体表面２に微小開口３を作成するにあたって、前記生体表面２に吸収されるレーザ光を用いて直接微小開口３を作成する場合と、上述のように吸収体５５に一旦吸収させて、その発熱で微小開口３を作成する場合とが考えられる。前記吸収体５５を用いる場合、該吸収体５５の吸収波長を生体の吸収波長から大きくずらせておくことで、レーザ光を誤射しても生体表面を傷付けることはなく、安全性を向上することができる。また、前記吸収体５５を用いることで、レーザ光源３１を任意に選択することができるとともに、最小限のパワーで必要な大きさおよび深さの微小開口３を作成することができ、レーザ光源３１を小型化することもできる。
【００３６】
前記吸引室５４は、直径４ｍｍ程度、深さ２ｍｍ程度のドーム状に窪んだ狭小な空間に形成され、図８で拡大して示すように、その頂部５４ａには、直径・高さ２ｍｍ程度の円柱形状の吸引口５６が設けられ、その吸引口５６は、外径３ｍｍ、内径１ｍｍ程度の管路５７によって、管継手から成る前記移動手段６０に接続されている。移動手段６０には前記ポンプや測定器或いはサンプル採取器などへのチューブが連結される。また、本体５１は、硬質の樹脂製であるが、前記管路５７の一部は、軟質の樹脂が使用されるなどして、穿孔可能な樹脂製の栓５８となっている。前記吸引口５６内には、酵素電極などの特定の成分にのみに反応して電極間に電流を流す一対の電極５９が設けられており、該電極５９間に生じた電流は、外部に設置された信号検出機器によって検出することができる。
【００３７】
このように構成された移動部材５０は、前記移動手段６０が取付けられた状態で該移動手段６０を操作孔２９に挿通した後、本体５１が支持部材２０内に嵌め込まれ、或いは前記移動手段６０を取外した状態で本体５１が支持部材２０内に嵌め込まれた後、前記操作孔２９から移動手段６０が本体５１にねじ込まれることで、前記操作孔２９の範囲で移動部材５０が支持部材２０内で回転自在に、両者が一体化する。このように一体化した部材５０，２０を、複合ユニットと称する。なお、移動部材５０の回転が円滑に行われるように、該移動部材５０の中心をピンで支持部材２０に枢支してもよく、或いは操作用に移動手段６０と反対側に、前記吸引口５６と繋がらないダミーの、或いは別の吸引口と繋がるもう１つの移動手段６０が設けられてもよい。
【００３８】
一方、前記レーザ照射装置３０は、大略的に、生体表面２に微小開口３を形成するエネルギ源であるレーザ光源３１と、適宜設けられる光学系３２と、前記レーザ光源３１を駆動する駆動回路３３とが、円筒の両端部が端板で閉塞されて成る筐体３４内に収納されて構成される。前記筐体３４の底面３５には、前記位置決めピン２６が嵌り込む位置決め凹所３６が形成されるとともに、前記マグネット２７に吸着するマグネット３７が設けられている。また、前記底面３５には、前記開口２８に対向する開口３８が形成されている。前記開口３８も、前記開口２８と同様に、レーザ光に対して透明な部材で閉塞されていてもよい。
【００３９】
前記レーザ光源３１は、パルス発振が可能なレーザであり、前記駆動回路３３は、患者に与える負担を小さくするために、前記レーザ光源３１をパルス発振させ、短時間で高出力のレーザ照射を行わせ、生体表面２に、真皮層４に達しない前記微小開口３を形成させる。但し、生体表面２に微小開口３が作成できるのに充分な出力を得られれば良いので、必要以上に高出力のレーザを使用する必要はない。以上の条件を満たすのであれば、使用するレーザはマルチモードレーザやシングルモードレーザ等の種類は問わない。このレーザ光源３１を用いることで、後述する針４１を用いる穿孔装置４０に比べて、より痛みが少なく、衛生的である。
【００４０】
本実施の形態では、前記光学系３２は、図９で示すように、前記レーザ光源３１からのレーザ光を前記吸収体５５の表面または生体表面２に集光させるレンズ３２ａに、その光軸３２ｂを前記移動部材５０の貫通孔５３の中心からシフトさせる光学部材である回転板３２ｃを備えて構成される。平板のガラスなどから成る前記回転板３２ｃが前記光軸３２ｂに対して傾斜して設けられており、その回転板３２ｃを前記光軸３２ｂを回転中心として回転させて前記レーザ光をパルスで照射することで、前記生体表面２に複数の微小開口３を形成することができる。ロック機構となる対を成す前記位置決めピン２６および位置決め凹所３６またはマグネット２７，３７は、近接スイッチとしての機能も有しており、両者が離間している状態では、前記駆動回路３３はレーザ光源３１の発振を禁止する（ロックを掛ける）。
【００４１】
これに対して、前記穿孔装置４０は、大略的に、生体表面２に微小開口３を形成する器具である針４１と、その針４１を昇降駆動することができる駆動機構４２とが、円筒の両端部が端板で閉塞されて成る筐体４４内に収納されて構成される。前記筐体４４の底面４５には、前記筐体３４と同様に、前記位置決めピン２６が嵌り込む位置決め凹所４６が形成されるとともに、前記マグネット２７に吸着するマグネット４７が設けられている。また、前記底面４５には、前記開口２８に対向し、前記針４１が出没する開口４８が形成されている。この穿孔装置４０でも、前記針４１が駆動機構４２によって電気的に昇降駆動される場合には、その駆動回路が前記位置決めピン２６および位置決め凹所３６またはマグネット２７，４７の出力に応答し、支持部材２０に搭載されていない状態では、針４１が突出しないようにロックを掛けるようにしてもよい。
【００４２】
上述のように構成される体液採取装置１，１１において、以下に体液採取手順について説明する。先ず、前記複合ユニットの底面を生体表面２に押し付けることで、前記フランジ２１の裏面に貼付けられた粘着テープによって該複合ユニットが生体表面２に固定される。粘着テープの粘着力は、或る程度力を加えても該複合ユニットが生体表面２から剥がれない程度の粘着力でよい。粘着力が不足する場合には、医療用のテープなどでフランジ２１の上からテープ止めを行ったり、或いは前記フランジ２１の裏面に粘着テープが設けられておらず、その医療用のテープのみで固定されるなど、複合ユニットの取付けについては任意である。
【００４３】
次に、前記レーザ照射装置３０または穿孔装置４０が、支持部材２０の天面２２上に、それらの位置決め凹所３６，４６に位置決めピン２６が嵌り込むように搭載され、マグネット３７，４７とマグネット２７との吸着によって固定される。これによって、レーザ照射装置３０または穿孔装置４０の開口３８，４８が、支持部材２０の開口２８と連通する。次に、前記移動手段６０が操作孔２９の孔開け位置となるように操作され、前記貫通孔５３が、開口２８；３８，４８と連通する。
【００４４】
ここで、図３で示すように、前記操作孔２９は、前記円筒状の側壁２３において、前記孔開け位置を有し、軸方向に延びる第１の垂下部２９ａと、その上端から水平（周）方向に延びる移動部２９ｂと、前記移動部２９ｂの終端から垂下する（軸方向に延びる）第２の垂下部２９ｃと、前記第２の垂下部２９ｃの下端から水平（周）方向に延びて、後述の吸引位置を有するロック部２９ｄとを備えて構成される。
【００４５】
前記移動手段６０が第２の垂下部２９ｃまで移動されると、移動部材５０の自重によって前記移動手段６０は第２の垂下部２９ｃの底部まで落下し、この状態で前記移動手段６０がロック部２９ｄまで周方向に移動されると、移動部材５０が生体表面２に密着して前記孔開け位置に達した状態となる。こうして移動部材５０がロックされた状態で生体表面２に複数の前記微小開口３が穿孔される。
【００４６】
続いて、前記移動手段６０が持ち上げられることで移動部材５０が生体表面２から離反し、その状態で前記移動手段６０が周方向に移動されることで該移動手段６０が移動部２９ｂを通過し、第１の垂下部２９ａに移って下降すると再び移動部材５０が生体表面２に密着し、図７で示すように、前記微小開口３を前記吸引室５４が覆う吸引位置となる。こうして、生体表面２を傷付けずに移動部材５０を移動させることができる。なお、移動部材５０の外周面と支持部材２０の内周面との隙間に潤滑剤を塗布しておくことで、移動の滑りが良くなるとともに、隙間が埋まることで密閉性を向上することができる。
【００４７】
その後、管継手となる前記移動手段６０に前記ポンプや測定器或いはサンプル採取器などへのチューブが連結されると、負圧によって前記移動部材５０の生体表面２からの浮き上がりが防止されつつ、体液が採取され、前記電極５９によるグルコース濃度測定などが行われる。このとき、吸引室５４内の負圧によって、図８で示すように生体表面２が若干盛り上がり、ドーム状に形成される該吸引室５４の頂部５４ａに設けられた吸引口５６と微小開口３との距離が近くなり、体液を効率良く吸引口５６内へ吸い上げることができる。所定の量の体液を吸い上げた後は、自動または手動で前記ポンプが停止される。なお、前記微小開口３の穿孔後は、マグネット３７，４７；２７によって支持部材２０に吸着されているだけのレーザ照射装置３０および穿孔装置４０は、取外されてもよい。
【００４８】
また、前記吸引室５４から吸引口５６および管路５７まで体液で満たされた状態で、前記栓５８に注射針やセンサが差込まれることで、前記移動手段６０に連なる機器以外に、別途に体液を採取することができる。これによって、採取した体液を患者の近くに置けない検出装置や、複合ユニットに組込むことができない検出装置にも利用することができる。以上の操作で体液を採取した後は、複合ユニットが生体表面２から取外されて、適宜処分される。
【００４９】
以上のように、本発明の体液採取装置１，１１は、移動部材５０が孔開け位置に位置した状態で微小開口３を形成し、支持部材２０はそのままで、移動手段６０を操作して、移動部材５０を一旦生体表面２から上昇（離反）させて前記生体表面２と略平行に移動させ、形成された微小開口３に吸引室５４が臨んだ状態で下降（近接）させて該移動部材５０を生体表面２に密着させ、ポンプなどの吸引手段によって前記吸引室５４内を負圧にして、滲出した体液を測定装置へ供給し、或いは試験紙に染み込ませて別途設置された測定装置での測定を可能にするので、微小開口３の形成から体液の採取までを、装置を取外すことなく、一連の操作で行うことができ、穿孔された微小開口３に対して、精密な位置決めが要求される吸引室５４をずれなく設置することができるとともに、気密に作業中を行えるので、作業中に外部から侵入してくる細菌等による感染や体液の品質劣化を防ぐことができる。また、吸引室５４と貫通孔５３とを別に形成しているので、吸引室５４を極小容積にして、必要な量の体液の採取を微弱な吸引力で短時間に行うことができ、患者に苦痛や負担をかけずに低侵襲で体液採取を行うことができるとともに、前記微小開口３を形成するためのレーザ照射装置３０および穿孔装置４０を取外し自在とすることと合わせて、該体液採取装置１，１１の小型化を図ることができる。
【００５０】
また、前記微小開口３を形成するエネルギ源としてレーザ光源３１を用いるにあたって、該レーザ光源３１と前記移動部材５０の貫通孔５３との間に、光軸３２ｂを前記貫通孔５３の中心からシフトさせる回転板３２ｃを介在し、その回転板３２ｃを回転手段で前記光軸３２ｂを回転中心として回転させて前記微小開口３を複数形成するので、同じ時間でより多くの体液を採取、或いは同じ量の体液をより短時間で採取することができるようになる。
【００５１】
さらにまた、前記レーザ照射装置３０および穿孔装置４０を支持部材２０から取外し可能とすることで、長時間に亘って採取する場合に、煩雑さを解消することができるとともに、複数の患者で該レーザ照射装置３０および穿孔装置４０を共用可能にすることができる。そして、そのように取外し可能としても、両者の間に相互の位置決めを行う位置決めピン２６および位置決め凹所３６，４６を設けるとともに、前記レーザ照射装置３０の場合には、駆動回路３３が、位置決めが行われていないと前記レーザ光源３１の発振を禁止する（ロックを掛ける）ので、レーザ光の漏光を防止し、安全性を向上することができる。
【００５２】
［実施の形態２］
図１０は、本発明の実施の他の形態に係る体液採取装置における移動部材５０’の構造を示す斜視図である。この移動部材５０’は、前述の図４で示す移動部材５０に類似し、対応する部分には同一の参照符号を付して示し、その説明を省略する。注目すべきは、この移動部材５０’では、本体５１’には、複数の吸引室５４’が形成されることである。総ての吸引室５４’には、管継手である前記移動手段６０が連通しているけれども、微小開口３に臨まない吸引室では、吸引を行っても体液が滲出しないので、吸引が行われない。対応する支持部材は、長手状の移動部２９ｂから、前記第２の垂下部２９ｃおよびそれに連なるロック部２９ｄが複数形成されることになる。
【００５３】
このように構成することで、同一患者に対して所定時間毎に体液を採取する必要がある場合に、吸引室５４を毎回新しくすることができ、精密かつ衛生的な測定を行うことができる。
【００５４】
［実施の形態３］
図１１〜図１３は、本発明の実施のさらに他の形態に係る体液採取装置における複合ユニットの構造を示す斜視図であり、図１１は支持部材２０''の斜視図であり、図１２は移動部材５０''の斜視図であり、図１３はそれらを組付けた状態を示す斜視図であり、それぞれ前述の図３〜図５に類似している。注目すべきは、前述の複合ユニットでは移動部材５０，５０’が回転移動であったのに対して、この複合ユニットの移動部材５０''は、直線移動することである。このため、移動部材５０''の本体５１''は矩形板状、それに対応して、支持部材２０''も箱形に形成される。このように移動部材５０，５０’，５０''の形状は、形成すべき吸引室５４の大きさや数などに対応して適宜選択されればよく、またその移動も、前記移動手段６０の操作による手動式だけでなく、例えばバネの弾性を利用した機械式や、モータの回転を利用した電気式などでもよい。
【図面の簡単な説明】
【００５５】
【図１】本発明の実施の一形態に係る体液採取装置の構造を示す斜視図である。
【図２】本発明の実施の一形態に係る体液採取装置の構造を示す斜視図である。
【図３】前記体液採取装置における支持部材の斜視図である。
【図４】前記体液採取装置における移動部材の斜視図である。
【図５】図３および図４の部材を組付けた状態を示す斜視図である。
【図６】前記図５の状態での動作を説明するための断面図である。
【図７】前記図５の状態での動作を説明するための断面図である。
【図８】前記移動部材を拡大して示す断面図である。
【図９】図１で示す体液採取装置に用いられるレーザ照射装置の構造を模式的に示す断面図である。
【図１０】本発明の実施の他の形態に係る体液採取装置における移動部材の構造を示す斜視図である。
【図１１】本発明の実施のさらに他の形態に係る体液採取装置における支持部材の斜視図である。
【図１２】本発明の実施のさらに他の形態に係る体液採取装置における移動部材の斜視図である。
【図１３】図１１および図１２の部材を組付けた状態を示す斜視図である。
【符号の説明】
【００５６】
１，１１    体液採取装置
２    生体表面
３    微小開口
４    真皮層
２０，２０''    支持部材
２１    フランジ
２２    天面
２３    側壁
２４    天板
２５，５１，５１’    本体
２６    位置決めピン
２７，３７，４７    マグネット
２８，３８，４８    開口
２９    操作孔
３０    レーザ照射装置
３１    レーザ光源
３２    光学系
３２ａ  レンズ
３２ｃ  回転板
３３    駆動回路
３４，４４    筐体
３６，４６    位置決め凹所
４０    穿孔装置
４１    針
４２    駆動機構
５０，５０’，５０''    移動部材
５３    貫通孔
５４，５４’    吸引室
５５    吸収体
５６    吸引口
５７    管路
５８    栓
５９    電極
６０    移動手段
【図１】
2009226042.tif 000003
【図２】
2009226042.tif 000004
【図３】
2009226042.tif 000005
【図４】
2009226042.tif 000006
【図５】
2009226042.tif 000007
【図６】
2009226042.tif 000008
【図７】
2009226042.tif 000009
【図８】
2009226042.tif 000010
【図９】
2009226042.tif 000011
【図１０】
2009226042.tif 000012
【図１１】
2009226042.tif 000013
【図１２】
2009226042.tif 000014
【図１３】
2009226042.tif 000015